(57)【要約】      （修正有）【課題】整流用ダイオードにおけるリカバリー電流を抑制し得る共振型ＤＣ／ＤＣコンバータを提供する。【解決手段】共振型ＤＣ／ＤＣコンバータ２０は、ゼロ電流スイッチングするスイッチング素子２１ａ〜２１ｄを有し、トランス２３の一次コイル２３ａに交流電圧を印加する交流電圧発生回路２１と、一次コイル２３ａを有し、交流電圧発生回路２１とトランス２３の二次コイル２３ｂとの間に配設される共振回路２２と、整流用ダイオード２４ａ、２４ｂ、２４ｃ、２４ｄによって構成され、二次コイル２３ｂの出力電流を整流する整流回路２４と、整流回路２４に接続され、整流用ダイオード２４ａ、２４ｂ、２４ｃ、２４ｄに発生するリカバリー電流を抑制するリカバリー電流抑制回路２６と、を備える。【選択図】図２
2020141502.tif 000002
【特許請求の範囲】
【請求項１】
ゼロ電流スイッチングするスイッチング素子を有し、トランスの一次コイルに交流電圧を印加する交流電圧発生回路と、
前記一次コイルを有し、前記交流電圧発生回路と前記トランスの二次コイルとの間に配設される共振回路と、
整流用ダイオードによって構成され、前記二次コイルの出力電流を整流する整流回路と、
前記整流回路に接続され、前記整流用ダイオードに発生するリカバリー電流を抑制するリカバリー電流抑制回路と、
を備える共振型ＤＣ／ＤＣコンバータ。
【請求項２】
前記リカバリー電流抑制回路は、前記整流用ダイオードがオン状態からオフ状態に切り替わる際に、前記整流用ダイオードに対して、パルス状の順方向電圧を印加する電圧印加回路である、
請求項１に記載の共振型ＤＣ／ＤＣコンバータ。
【請求項３】
前記整流回路に接続され、前記整流回路の出力電流を平滑化する平滑コンデンサをさらに備え、
前記電圧印加回路が前記整流用ダイオードに対して印加する順方向電圧は、当該共振型ＤＣ／ＤＣコンバータが電力変換の動作を実行する際に、前記平滑コンデンサに蓄積される静電エネルギーの電圧の１／１０以下である、
請求項２に記載の共振型ＤＣ／ＤＣコンバータ。
【請求項４】
前記リカバリー電流抑制回路は、前記整流回路の出力ライン上に直列に接続されたインダクタである、
請求項１に記載の共振型ＤＣ／ＤＣコンバータ。
【請求項５】
前記インダクタのインダクタンス値は、前記共振回路を構成する共振用インダクタのインダクタンス値の１／１０以下である、
請求項４に記載の共振型ＤＣ／ＤＣコンバータ。
【請求項６】
請求項１乃至５のいずれか一項に記載の共振型ＤＣ／ＤＣコンバータを有する車両。
【発明の詳細な説明】
【技術分野】
【０００１】
本開示は、共振型ＤＣ／ＤＣコンバータ、及び車両に関する。
【背景技術】
【０００２】
従来、共振型ＤＣ／ＤＣコンバータ（例えば、ＬＬＣ電流共振コンバータ）が知られている。
【０００３】
この種の共振型ＤＣ／ＤＣコンバータは、電力変換効率が高く且つ低ノイズであるという特徴を有することから、例えば、自動車用の充電器の回路方式として注目を集めている。例えば、特許文献１には、トランス、トランスの一次側に配設されたブリッジ回路、当該ブリッジ回路の出力側に配設された直列共振回路、及び、トランスの二次側に配設された整流回路を有するＬＬＣ電流共振コンバータが記載されている。
【先行技術文献】
【特許文献】
【０００４】
【特許文献１】特開２０１１−０６２０１８号公報
【発明の概要】
【発明が解決しようとする課題】
【０００５】
ところで、この種の共振型ＤＣ／ＤＣコンバータにおいては、一般に、トランスの二次側に配設された整流回路の整流用ダイオードにおいてゼロ電流スイッチングが実現されるように、一次側のブリッジ回路が制御される。そのため、共振型ＤＣ／ＤＣコンバータにおいては、整流用ダイオードにおいてリカバリー電流が発生せず、理想的には、当該リカバリー電流に起因する損失も発生しないと考えられている。このような背景から、共振型ＤＣ／ＤＣコンバータは、整流回路の整流用ダイオードにおけるリカバリー電流を考慮せずに設計されるのが一般的である。
【０００６】
しかしながら、本願の発明者らが鋭意検討した結果、共振型ＤＣ／ＤＣコンバータであっても、僅かに整流用ダイオードにリカバリー電流が発生していることが明らかとなった。特に、整流用ダイオードが高温のときには、当該リカバリー電流も増大することが明らかとなった。
【０００７】
このようなリカバリー電流は、特に、共振型ＤＣ／ＤＣコンバータを自動車用の充電器等、大電流を通流させる対象に適用させた場合に問題となる。具体的には、当該リカバリー電流に起因して、大きな電力損失（例えば、整流用ダイオードにおける抵抗損失）が発生し、発熱等も誘起することになる。そして、共振型ＤＣ／ＤＣコンバータの温度上昇により、リカバリー電流が更に増大することになる。
【０００８】
本開示は、上記問題点に鑑みてなされたもので、整流用ダイオードにおけるリカバリー電流を抑制し得る共振型ＤＣ／ＤＣコンバータ、及び車両を提供することを目的とする。
【課題を解決するための手段】
【０００９】
前述した課題を解決する主たる本開示は、
ゼロ電流スイッチングするスイッチング素子を有し、トランスの一次コイルに交流電圧を印加する交流電圧発生回路と、
前記一次コイルを有し、前記交流電圧発生回路と前記トランスの二次コイルとの間に配設される共振回路と、
整流用ダイオードによって構成され、前記二次コイルの出力電流を整流する整流回路と、
前記整流回路に接続され、前記整流用ダイオードに発生するリカバリー電流を抑制するリカバリー電流抑制回路と、
を備える共振型ＤＣ／ＤＣコンバータである。
【００１０】
又、他の局面では、
上記の共振型ＤＣ／ＤＣコンバータを有する車両である。
【発明の効果】
【００１１】
本開示に係る共振型ＤＣ／ＤＣコンバータによれば、整流用ダイオードにおけるリカバリー電流を抑制することができる。
【図面の簡単な説明】
【００１２】
【図１】第１の実施形態に係る車両の構成を示す図
【図２】第１の実施形態に係るＤＣ／ＤＣコンバータの回路構成を示す図
【図３】第１の実施形態に係るＤＣ／ＤＣコンバータ動作時に、図２のＤＣ／ＤＣコンバータの回路上に通流するリカバリー電流の一例を示す図
【図４】第１の実施形態に係るＤＣ／ＤＣコンバータの動作時の各部の波形を示すタイムチャート
【図５】第２の実施形態に係るＤＣ／ＤＣコンバータの構成を示す図
【発明を実施するための形態】
【００１３】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１４】
（第１の実施形態）
［ＤＣ／ＤＣコンバータの構成］
以下、図１〜図２を参照して、第１の実施形態に係る共振型ＤＣ／ＤＣコンバータの構成の一例について説明する。尚、本実施形態では、本開示に係る共振型ＤＣ／ＤＣコンバータを電気自動車に適用した態様について説明する。
【００１５】
図１は、本実施形態に係る車両１の構成を示す図である。図２は、本実施形態に係るＤＣ／ＤＣコンバータ２０の回路構成を示す図である。
【００１６】
車両１は、コネクタＣ１、ＡＣ／ＤＣコンバータ１０、ＤＣ／ＤＣコンバータ２０、及びバッテリ３０を備えている。
【００１７】
コネクタＣ１は、外部電源Ｓの接続プラグが接続され、外部電源Ｓから受電する受電部である。コネクタＣ１には、コネクタＣ１側から順に、ＡＣ／ＤＣコンバータ１０、ＤＣ／ＤＣコンバータ２０、及びバッテリ３０が電気接続されている。そして、車両１は、コネクタＣ１を介して外部電源Ｓから電力を受電して、ＡＣ／ＤＣコンバータ１０及びＤＣ／ＤＣコンバータ２０にて電力変換を行って、バッテリ３０に充電可能に構成されている。尚、外部電源Ｓは、例えば、６０Ｈｚ、２００Ｖの単相交流電力を供給する商用電源である。
【００１８】
バッテリ３０は、例えば、駆動モータ等に給電する電源である。バッテリ３０としては、例えば、４８Ｖ系のリチウムイオン二次電池が用いられる。
【００１９】
ＡＣ／ＤＣコンバータ１０は、外部電源Ｓから受電した交流電力を直流電力に変換して、ＤＣ／ＤＣコンバータ２０に対して給電する。ＡＣ／ＤＣコンバータ１０は、例えば、整流回路、平滑コンデンサ、及び力率改善回路を含んで構成される。
【００２０】
ＤＣ／ＤＣコンバータ２０は、ＡＣ／ＤＣコンバータ１０の出力側に接続され、ＡＣ／ＤＣコンバータ１０から出力される直流電力を電圧変換して、バッテリ３０に対して送出する。
【００２１】
ＤＣ／ＤＣコンバータ２０としては、高い電力変換効率及び低ノイズ化を実現するため、共振型ＤＣ／ＤＣコンバータが用いられる。本実施形態では、ＤＣ／ＤＣコンバータ２０として、ＬＬＣ電流共振コンバータ回路が用いられる。
【００２２】
ＤＣ／ＤＣコンバータ２０は、例えば、トランス２３の一次コイル２３ａに交流電圧を印加する交流電圧発生回路２１と、一次コイル２３ａを有し、交流電圧発生回路２１とトランスの二次コイル２３ｂとの間に配設される共振回路２２と、トランス２３の二次コイル２３ｂの出力電流を整流する整流回路２４と、整流回路２４の出力側に配設された平滑化回路２５と、整流回路２４に接続されたリカバリー電流抑制回路２６と、ＥＣＵ２７と、を備えている。
【００２３】
トランス２３は、一次コイル２３ａと二次コイル２３ｂを有している。尚、トランス２３の一次コイル２３ａに並列接続されているインダクタンス２３ｃは、トランス２３に生じた励磁インダクタンスである。
【００２４】
交流電圧発生回路２１は、例えば、正極ラインＬａ１と負極ラインＬｂ１との間に配設された第１アーム上のハイサイドスイッチ２１ａ及びローサイドスイッチ２１ｂ、並びに、第２アーム上のハイサイドスイッチ２１ｃ及びローサイドスイッチ２１ｄによって構成されたフルブリッジ回路である。これらのスイッチ２１ａから２１ｄはゼロ電流スイッチングにより制御されるスイッチング素子である。ここで、ゼロ電流スイッチングとは、スイッチング素子のスイッチング時に共振現象を利用し電流がゼロとなった状態でスイッチングするソフトスイッチング方式のことである。
【００２５】
共振回路２２は、例えば、交流電圧発生回路２１の出力ライン上において、一次コイル２３ａと、一次コイル２３ａに直列に接続された共振用コンデンサ２２ａ及び共振用インダクタ２２ｂによって構成された直列共振回路である。尚、共振用インダクタ２２ｂは、トランス２３の有する漏れインダクタンスによって構成されてもよい。また、共振回路２２は、一次コイル２３ａと共振用コンデンサ２２ａのみで構成されていてもよいし、インダクタンスを複数有して構成されていてもよい。
【００２６】
整流回路２４は、例えば、４つの整流用ダイオード２４ａ、２４ｂ、２４ｃ、２４ｄによって構成されたダイオードブリッジ回路である。
【００２７】
平滑化回路２５は、例えば、整流回路２４の出力側において、正極ラインＬａ２と負極ラインＬｂ２との間に接続された平滑コンデンサ２５ａによって構成されている。
【００２８】
リカバリー電流抑制回路２６は、整流回路２４に接続され、整流用ダイオード２４ａ、２４ｂ、２４ｃ、２４ｄに発生するリカバリー電流を抑制する。
【００２９】
リカバリー電流抑制回路２６は、例えば、整流用ダイオード（ここでは、整流用ダイオード２４ａ又は整流用ダイオード２４ｃ）がオン状態からオフ状態に切り替わる際に、その直前にオン状態の整流用ダイオード（２４ａ又は２４ｃ）に対して、パルス状の順方向電圧を印加する電圧印加回路である。換言すると、リカバリー電流抑制回路２６は、トランス２３の二次コイル２３ｂの誘起電圧の極性が反転する際に、その直前にオン状態の整流用ダイオード（２４ａ又は２４ｃ）に対して、パルス状の順方向電圧を印加する。
【００３０】
リカバリー電流抑制回路２６は、例えば、直流電圧発生部２６ａ、第１スイッチ素子２６ｂ、第２スイッチ素子２６ｃ、第１整流素子２６ｄ、及び、第２整流素子２６ｅを含んで構成される。
【００３１】
ここで、直流電圧発生部２６ａは、整流用ダイオード（２４ａ又は２４ｃ）に対して印加する直流電圧を発生する。直流電圧発生部２６ａの負極は、負極ラインＬｂ２に接続されている。又、直流電圧発生部２６ａの正極は、整流用ダイオード２４ａと整流用ダイオード２４ｂとの接続点に延在する第１経路Ｌｔ１、及び、一端が整流用ダイオード２４ｃと整流用ダイオード２４ｄとの接続点に延在する第２経路Ｌｔ２それぞれに接続されている。そして、直流電圧発生部２６ａは、第１経路Ｌｔ１を介して整流用ダイオード２４ａに順方向電圧を印加し、又、第２経路Ｌｔ２を介して整流用ダイオード２４ｃに順方向電圧を印加することができるように構成されている。
【００３２】
第１スイッチ素子２６ｂは、第１経路Ｌｔ１上に配設され、当該第１経路Ｌｔ１における通電状態のオン／オフを制御する。第２スイッチ素子２６ｃは、第２経路Ｌｔ２上に配設され、当該第２経路Ｌｔ２における通電状態のオン／オフを制御する。
【００３３】
第１整流素子２６ｄは、第１経路Ｌｔ１上に配設され、直流電圧発生部２６ａの正極から整流用ダイオード２４ａ側へ向かう電流を許容し、その逆方向の電流を阻止する。第２整流素子２６ｅは、第２経路Ｌｔ２上に配設され、直流電圧発生部２６ａの正極から整流用ダイオード２４ｃ側へ向かう電流を許容し、その逆方向の電流を阻止する。
【００３４】
第１スイッチ素子２６ｂ及び第２スイッチ素子２６ｃは、ＥＣＵ２７によってオン／オフが制御されている。ＥＣＵ２７は、例えば、整流用ダイオード２４ａ及び２４ｄの組に電流が通流した状態から、整流用ダイオード２４ａ及び２４ｄに通流する電流がゼロとなる際に、第１スイッチ素子２６ｂを短時間だけオンして、整流用ダイオード２４ａに対して順方向にパルス状の直流電圧を印加する（図４の第１スイッチ素子２６ｂの駆動信号の波形を参照）。又、ＥＣＵ２７は、例えば、整流用ダイオード２４ｂ及び２４ｃの組に電流が通流した状態から、整流用ダイオード２４ｂ及び２４ｃに通流する電流がゼロとなる際に、第２スイッチ素子２６ｃを短時間だけオンして、整流用ダイオード２４ｂに対して順方向にパルス状の直流電圧を印加する（図４の第２スイッチ素子２６ｃの駆動信号の波形を参照）。
【００３５】
リカバリー電流抑制回路２６が直流電圧を印加する期間は、整流用ダイオード２４ａ、２４ｂ、２４ｃ、２４ｄにリカバリー電流が発生し得る期間だけであることが望ましく、例えば、整流用ダイオード（２４ａ又は２４ｃ）がオン状態からオフ状態に切り替わる時点又はその直前から、トランス２３の二次コイル２３ｂの誘起電圧の波形（略正弦波状の波形）を基準として、１度以上且つ１０度未満の電気角の間だけに設定する。
【００３６】
尚、リカバリー電流抑制回路２６が整流用ダイオード（２４ａ又は２４ｃ）に印加する直流電圧は、ＤＣ／ＤＣコンバータ２０の出力電圧（即ち、ＤＣ／ＤＣコンバータ２０が電力変換の動作を実行する際に、平滑コンデンサ２５ａに蓄積される静電エネルギーの電圧）の１／１０以下に設定されるのが望ましい。
【００３７】
［ＤＣ／ＤＣコンバータの動作］
図３は、ＤＣ／ＤＣコンバータ２０動作時に、図２のＤＣ／ＤＣコンバータ２０の回路上に通流するリカバリー電流の一例を示す図である。尚、図３では、仮にリカバリー電流抑制回路２６を動作させない場合に発生するリカバリー電流を示しており、当該リカバリー電流は、リカバリー電流抑制回路２６を動作させた場合にはゼロ近くに抑制される。
【００３８】
図４は、本実施形態に係るＤＣ／ＤＣコンバータ２０の動作時の各部の波形を示すタイムチャートである。
【００３９】
図４には、ハイサイドスイッチ２１ａへの駆動信号、ハイサイドスイッチ２１ｃへの駆動信号、共振用コンデンサ２２ａに通流する共振電流、二次コイル２３ｂにおける誘起電圧、整流用ダイオード２４ａに通流する電流、整流用ダイオード２４ｃに通流する電流、リカバリー電流抑制回路２６の第１スイッチ素子２６ｂへの駆動信号、及び、リカバリー電流抑制回路２６の第２スイッチ素子２６ｃへの駆動信号を表している。
【００４０】
電圧変換の動作の際、ＤＣ／ＤＣコンバータ２０では、ハイサイドスイッチ２１ａとローサイドスイッチ２１ｄの組、及び、ハイサイドスイッチ２１ｃとローサイドスイッチ２１ｂの組を、デッドタイムをもったデューティ約５０％で交互にオン／オフさせる（図４のハイサイドスイッチ２１ａの駆動信号の波形、及びハイサイドスイッチ２１ｂの駆動信号の波形を参照）。
【００４１】
ＤＣ／ＤＣコンバータ２０では、この際のスイッチング周波数を変調することにより、共振回路２２を通過するエネルギーを制御し、出力電圧を制御する。尚、一般に、ＬＬＣ電流共振コンバータ回路のスイッチング周波数は、共振回路２２に共振電流が通流する程度の周波数（典型的には、共振回路２２の共振周波数よりも小さい周波数）に設定される。
【００４２】
尚、ＤＣ／ＤＣコンバータ２０では、図示しないが、共振電流が流れ終わってハイサイドスイッチ２１ａの電流が小さくなった状態で、ハイサイドスイッチ２１ａがオフされ、ハイサイドスイッチ２１ａの寄生ダイオードが導通している状態で、ハイサイドスイッチ２１ａがオンされる（スイッチ２１ｂ、２１ｃ、２１ｄも同様）。これにより、ソフトスイッチングが実現されている。
【００４３】
図４の二次コイル２３ｂにおける誘起電圧、整流用ダイオード２４ａの電流、整流用ダイオード２４ｃの電流を見ると、二次コイル２３ｂにおける誘起電圧の立ち上がりと共に、整流用ダイオード２４ａ（又は整流用ダイオード２４ｃ）がオン状態となり、二次コイル２３ｂにおける誘起電圧の立ち下がりと共に、整流用ダイオード２４ａ（又は整流用ダイオード２４ｃ）がオフ状態となっていることが分かる。この際、整流用ダイオード２４ａ（又は整流用ダイオード２４ｃ）において電流が流れ終わるタイミングは、二次コイル２３ｂにおける誘起電圧が反転するタイミングよりも早くなる。即ち、整流用ダイオード２４ａ（又は整流用ダイオード２４ｃ）は、ゼロ電流スイッチングされることになる。
【００４４】
但し、実際には、整流用ダイオード２４ａ（又は整流用ダイオード２４ｃ）における電流が流れ終わるタイミングにおいても、平滑コンデンサ２５ａから整流回路２４（ここでは、整流用ダイオード２４ａ又は整流用ダイオード２４ｃ）への逆電圧が生じている。その結果、図３に示すように、整流用ダイオード２４ａ（又は整流用ダイオード２４ｃ）がオン状態からオフ状態に切り替わった際に、当該逆電圧に押し出されるように、整流用ダイオード２４ａ（又は整流用ダイオード２４ｃ）にリカバリー電流が発生する。
【００４５】
尚、リカバリー電流は、整流用ダイオード２４ａがオン状態からオフ状態に切り替わる際には、平滑コンデンサ２５ａの正極から、整流用ダイオード２４ａ、トランス２３の二次コイル２３ｂ、整流用ダイオード２４ｄ及び平滑コンデンサ２５ａの負極へと向かう経路で通流することになる。又、整流用ダイオード２４ｃがオン状態からオフ状態に切り替わる際には、平滑コンデンサ２５ａの正極から、整流用ダイオード２４ｃ、トランス２３の二次コイル２３ｂ、整流用ダイオード２４ｃ及び平滑コンデンサ２５ａの負極へと向かう経路で通流することになる。
【００４６】
リカバリー電流抑制回路２６は、整流用ダイオード２４ａ（又は整流用ダイオード２４ｃ）がオン状態からオフ状態に切り替わるときに、整流用ダイオード２４ａ（又は整流用ダイオード２４ｃ）に順方向の電圧を作用させることで、リカバリー電流を抑制する。
【００４７】
具体的には、トランス２３の二次コイル２３ｂの誘起電圧が小さくなり、整流用ダイオード２４ａ及び整流用ダイオード２４ｄがオン状態からオフ状態に切り替わるときに、ＥＣＵ２７の制御信号によって第１スイッチ素子２６ｂがオンされ、整流用ダイオード２４ａにパルス状の順方向電圧を印加する（図４の第１スイッチ素子２６ｂへの駆動信号を参照）。又、トランス２３の二次コイル２３ｂの誘起電圧が小さくなり、整流用ダイオード２４ｃ及び整流用ダイオード２４ｃがオン状態からオフ状態に切り替わるときに、ＥＣＵ２７の制御信号によって第２スイッチ素子２６ｃがオンされ、整流用ダイオード２４ｃにパルス状の順方向電圧を印加する（図４の第２スイッチ素子２６ｃへの駆動信号を参照）。
【００４８】
［効果］
以上のように、本実施形態に係る共振型のＤＣ／ＤＣコンバータ２０によれば、リカバリー電流抑制回路２６によって、トランス２３の二次コイル２３ｂの誘起電圧の極性が反転する際に、整流用ダイオード２４ａ、２４ｂ、２４ｃ、２４ｄに発生するリカバリー電流を抑制することができる。これによって、リカバリー電流に伴う電力損失（例えば、整流用ダイオード２４ａ、２４ｂ、２４ｃ、２４ｄにおける抵抗損失）を低減することが可能である。
【００４９】
特に、本実施形態に係るリカバリー電流抑制回路２６は、整流用ダイオード２４ａ、２４ｂ、２４ｃ、２４ｄがオン状態からオフ状態に切り替わる際に、その直前にオン状態の整流用ダイオード（２４ａ又は２４ｃ）に対して、パルス状の順方向電圧を印加する電圧印加回路であるによって構成されている。従って、本実施形態に係るリカバリー電流抑制回路２６によれば、整流用ダイオード２４ａ、２４ｂ、２４ｃ、２４ｄにリカバリー電流が発生する期間にだけ、整流用ダイオード２４ａ、２４ｃに対して、適切な順方向電圧を印加することが可能である。これによって、ＤＣ／ＤＣコンバータ２０の動作が不安定になることも抑制できる。
【００５０】
（第２の実施形態）
次に、図５を参照して、第２の実施形態に係るＤＣ／ＤＣコンバータ２０について説明する。本実施形態に係るＤＣ／ＤＣコンバータ２０は、リカバリー電流抑制回路２６の構成の点で、第１の実施形態と相違する。尚、第１の実施形態と共通する構成については、説明を省略する（以下、他の実施形態についても同様）。
【００５１】
図５は、第２の実施形態に係るＤＣ／ＤＣコンバータ２０の構成を示す図である。
【００５２】
本実施形態に係るリカバリー電流抑制回路２６は、整流回路２４の出力側において、整流回路２４と平滑コンデンサ２５ａとの間に直列に接続されたインダクタ２６ｆによって構成されている。インダクタ２６ｆは、整流回路２４と平滑コンデンサ２５ａとの間における電流変化を抑制するように機能する。
【００５３】
従って、インダクタ２６ｆは、トランス２３の二次コイル２３ｂの誘起電圧の極性が反転して整流用ダイオード２４ａ及び整流用ダイオード２４ｄがオン状態からオフ状態に切り替わるときに、平滑コンデンサ２５ａの正極からの瞬時の逆電流であるリカバリー電流が発生することを抑制することができる。
【００５４】
インダクタ２６ｆのインダクタンス値は、共振回路２２を構成する共振用インダクタ２２ｂのインダクタンス値の１／１０以下であるのが望ましい。これによって、リカバリー電流抑制回路２６のインダクタ２６ｆによって、共振回路２２の共振周波数が変化し、電力変換の動作が不安定となることを抑制することができる。
【００５５】
以上のように、本実施形態に係るＤＣ／ＤＣコンバータ２０によっても、トランス２３の二次コイル２３ｂの誘起電圧の極性が反転する際に、整流用ダイオード２４ａ、２４ｂ、２４ｃ、２４ｄに発生するリカバリー電流を抑制することができる。
【００５６】
（その他の実施形態）
上記実施形態では、共振型のＤＣ／ＤＣコンバータ２０の一例として、ＬＬＣ電流共振コンバータ回路を示した。本開示に係るＤＣ／ＤＣコンバータ２０は、電圧共振コンバータ回路にも適用し得る。
【００５７】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００５８】
本開示に係る共振型ＤＣ／ＤＣコンバータによれば、整流用ダイオードにおけるリカバリー電流を抑制することができる。
【符号の説明】
【００５９】
１  車両
１０  ＡＣ／ＤＣコンバータ
２０  ＤＣ／ＤＣコンバータ（共振型ＤＣ／ＤＣコンバータ）
２１  交流電圧発生回路
２１ａ、２１ｂ、２１ｃ、２１ｄ  スイッチ
２２  共振回路
２２ａ  共振用コンデンサ
２２ｂ  共振用インダクタ
２３  トランス
２３ａ  一次コイル
２３ｂ  二次コイル
２３ｃ  励磁インダクタンス
２４  整流回路
２４ａ、２４ｂ、２４ｃ、２４ｄ  整流用ダイオード
２５  平滑化回路
２５ａ  平滑コンデンサ
２６  リカバリー電流抑制回路
２６ａ  直流電圧発生部
２６ｂ  第１スイッチ素子
２６ｃ  第２スイッチ素子
２６ｄ  第１整流素子
２６ｅ  第２整流素子
Ｌｔ１  第１経路
Ｌｔ２  第２経路
２６ｆ  インダクタ
２７  ＥＣＵ
３０  バッテリ
Ｓ  外部電源
Ｌａ１、Ｌａ２  正極ライン
Ｌｂ１、Ｌｂ２  負極ライン
Ｃ１  コネクタ
【図１】
2020141502.tif 000003
【図２】
2020141502.tif 000004
【図３】
2020141502.tif 000005
【図４】
2020141502.tif 000006
【図５】
2020141502.tif 000007